(57)【要約】【課題】本発明はお風呂の玩具の空気入れ装置を開示した。【解決手段】空気入れ主体を含み、これにより下ヒンジ連結軸と、ヒンジ連結板と、上ヒンジ連結軸とを連動させて回転させる；本装置はお風呂の玩具に対して自動的に空気を入れると自動的に空気を抜く機能を果たすことができ、本装置は従来の人工で空気を入れることの時間と力を費やす問題を解決し、また自動的に空気を抜くことができ、これにより玩具で遊んだ後で空気を抜くことをもっと便利にし、しかも本装置が小さくて精巧であり、携帯や置くことに便利を与え、本装置は機械の伝動係合により、錯誤が出る可能性を低下させ、同時に単モータを使用して多機能を実現し、装置のコストを低減し、エネルギー消耗を節約する。【選択図】図１
2020168334.tif 000002
【特許請求の範囲】
【請求項１】
空気入れ主体を含み、前記空気入れ主体の中には動力チャンバが設置され、前記動力チャンバの中には動力装置が設置され、前記動力装置がモータを含み、前記動力装置が前記モータにより本装置の運動を駆動し、前記動力チャンバの上端壁にはスライドロッドスライド溝が設置され、前記スライドロッドスライド溝の上端壁には空気室が設置され、前記空気室の中には空気入れ部品が設置され、前記空気入れ部品が移動スライドロッドとピストンブロックを含み、前記空気入れ部品が前記移動スライドロッドと前記ピストンブロックとの上下運動により、気体を追い出しまたは入れ、前記空気室の左端壁には連通溝が上下対称的に設置され、前記連通溝の間には切換溝が設置され、前記連通溝の左端壁には空気入りパイプが設置され、前記空気入りパイプの左端壁には左入口が設置され、前記空気室の上下端壁には弧状溝が対称的に設置され、前記弧状溝が前記切換溝と連通し、前記空気室の右端壁には排気口が上下対称的に設置され、前記排気口の右端壁には連結溝が設置され、前記連結溝の右端壁には排気パイプが設置され、前記排気パイプの右端壁には右出口が設置され、前記空気入れ主体の外部には旋転装置が設置され、前記旋転装置が回転器を含み、前記旋転装置が前記回転器により空気を追い出しまたは入れる機能の切換を制御することを特徴とするお風呂の玩具の空気入れ装置。
【請求項２】
前記動力装置はモータ軸を含み、前記モータ軸が前記モータと動力が伝達できるように連結され、前記モータが前記動力チャンバの後端壁と固定的に連結され、前記モータ軸の前端には回転盤が設置され、前記回転盤には下ヒンジ連結軸が設置され、前記下ヒンジ連結軸にはヒンジ連結板が回転できるように連結され、前記ヒンジ連結板の上端には上ヒンジ連結軸が設置され、前記モータを始動し、これにより前記モータ軸が前記回転盤を連動させて回転させ、これにより前記下ヒンジ連結軸と、前記ヒンジ連結板と、前記上ヒンジ連結軸とを連動させて回転させ、その作用は前記空気入れ部品の作動を駆動することであることを特徴とする請求項１に記載のお風呂の玩具の空気入れ装置。
【請求項３】
前記空気入れ部品はゴムガスケットを含み、前記ゴムガスケットが前記ピストンブロックの上端面と固定的に連結され、前記ゴムガスケットと前記ピストンブロックと前記空気室とがスライドできるように連結され、前記移動スライドロッドが前記ピストンブロックの下端面と固定的に連結され、前記移動スライドロッドが前記スライドロッドスライド溝とスライドできるように連結され、前記移動スライドロッドが前記上ヒンジ連結軸とヒンジにより連結され、前記弧状溝の中にはそれぞれ弧状ブロックがスライドできるように連結され、前記弧状溝のうち前記空気室から離れている端壁にはリミット溝が設置され、前記リミット溝の中には前記弧状ブロックと固定的に連結されるリミットブロックがスライドできるように連結され、前記リミットブロックと前記リミット溝の左端壁との間にはリミットばねが連結され、前記切換溝の中には切換ブロックがスライドできるように連結され、前記切換ブロックの上下両端には前記連通溝と連通できる切換ブロック溝が対称的に設置され、前記切換ブロックが上へ運動する時に下端の前記連通溝が開けられ、これとは反対に前記切換ブロックが下へ運動する時に上端の前記連通溝が開けられ、前記切換溝の左端壁には滑り止めパッドが設置され、二つの前記連結溝の前後端壁にはそれぞれ捻りばね軸が上下対称的に回転できるように連結され、前記捻りばね軸には捻りばねが設置され、前記捻りばねには捻りばね板が設置され、前記捻りばね板のうち前記捻りばね軸から離れている端面には密封ブロックが設置され、四つの前記密封ブロックがそれぞれ二つずつ当接しあい、前記排気口の中の気体が圧縮される時、前記捻りばね板と前記密封ブロックを推しのけることができ、これとは反対に前記排気口の中の気体が膨張する時、推しのけることができなく、その作用は気体を絶えず入れまたは追い出すことであることを特徴とする請求項１に記載のお風呂の玩具の空気入れ装置。
【請求項４】
前記旋転装置は環状スライド溝を含み、前記環状スライド溝の中には環状スライダが回転できるように連結され、前記環状スライダの左右両端にはそれぞれＬロッドが対称的に設置され、二つの前記Ｌロッドが前記回転器の下端面と固定的に連結され、前記回転器の左端面には前記左入口または前記右出口と連通できる空気口が設置され、前記回転器の上端には空気ロッドが設置され、前記空気ロッドの中にはガスノズル溝が設置され、前記ガスノズル溝が前記空気入りパイプまたは前記排気パイプと連通でき、前記空気ロッドの上端にはガスノズルと前記固定器とが設置され、前記回転器を百八十度回転させ、前記空気口が前記左入口と前記空気入りパイプと連通し、前記回転器を再び百八十度回転させる時、前記空気口が前記右出口と前記排気パイプと連通することを特徴とする請求項１に記載のお風呂の玩具の空気入れ装置。
【発明の詳細な説明】
【技術分野】
【０００１】
本発明は玩具付属品分野を取り上げて、具体的にはお風呂の玩具の空気入れ装置である。
【背景技術】
【０００２】
目下、二人っ子政策が正式に施行されることにより、お風呂に入る時に玩具で遊ぶ子供がますます多くなり、玩具で遊ぶ前、多くのお風呂の玩具は空気を入れる必要があり、従来の玩具を口で膨らますことが必要であり、とても時間と力を費やし、現有の電動空気入れ機は通常体積が多すぎるのであり、玩具で遊んだ後で空気を抜くのが非常に面倒くさく、しかも専門の空気を抜く機器がない。
【先行技術文献】
【特許文献】
【０００３】
【特許文献１】中国特許出願公開第１０８５９１５４６号明細書
【発明の概要】
【発明が解決しようとする課題】
【０００４】
本発明はお風呂の玩具の空気入れ装置を提供し、上記背景技術において取り上げられた問題を解決することを目的とする。
【課題を解決するための手段】
【０００５】
上記の目的を実現するために、本発明は以下の技術プランを提供する：お風呂の玩具の空気入れ装置は、空気入れ主体を含み、前記空気入れ主体の中には動力チャンバが設置され、前記動力チャンバの中には動力装置が設置され、前記動力装置がモータを含み、前記動力装置が前記モータにより本装置の運動を駆動し、前記動力チャンバの上端壁にはスライドロッドスライド溝が設置され、前記スライドロッドスライド溝の上端壁には空気室が設置され、前記空気室の中には空気入れ部品が設置され、前記空気入れ部品が移動スライドロッドとピストンブロックを含み、前記空気入れ部品が前記移動スライドロッドと前記ピストンブロックとの上下運動により、気体を追い出しまたは入れ、前記空気室の左端壁には連通溝が上下対称的に設置され、前記連通溝の間には切換溝が設置され、前記連通溝の左端壁には空気入りパイプが設置され、前記空気入りパイプの左端壁には左入口が設置され、前記空気室の上下端壁には弧状溝が対称的に設置され、前記弧状溝が前記切換溝と連通し、前記空気室の右端壁には排気口が上下対称的に設置され、前記排気口の右端壁には連結溝が設置され、前記連結溝の右端壁には排気パイプが設置され、前記排気パイプの右端壁には右出口が設置され、前記空気入れ主体の外部には旋転装置が設置され、前記旋転装置が回転器を含み、前記旋転装置が前記回転器により空気を追い出しまたは入れる機能の切換を制御する。
【０００６】
好ましくは、前記動力装置はモータ軸を含み、前記モータ軸が前記モータと動力が伝達できるように連結され、前記モータが前記動力チャンバの後端壁と固定的に連結され、前記モータ軸の前端には回転盤が設置され、前記回転盤には下ヒンジ連結軸が設置され、前記下ヒンジ連結軸にはヒンジ連結板が回転できるように連結され、前記ヒンジ連結板の上端には上ヒンジ連結軸が設置され、前記モータを始動し、これにより前記モータ軸が前記回転盤を連動させて回転させ、これにより前記下ヒンジ連結軸と、前記ヒンジ連結板と、前記上ヒンジ連結軸とを連動させて回転させ、その作用は前記空気入れ部品の作動を駆動することである。
【０００７】
好ましくは、前記空気入れ部品はゴムガスケットを含み、前記ゴムガスケットが前記ピストンブロックの上端面と固定的に連結され、前記ゴムガスケットと前記ピストンブロックと前記空気室とがスライドできるように連結され、前記移動スライドロッドが前記ピストンブロックの下端面と固定的に連結され、前記移動スライドロッドが前記スライドロッドスライド溝とスライドできるように連結され、前記移動スライドロッドが前記上ヒンジ連結軸とヒンジにより連結され、前記弧状溝の中にはそれぞれ弧状ブロックがスライドできるように連結され、前記弧状溝のうち前記空気室から離れている端壁にはリミット溝が設置され、前記リミット溝の中には前記弧状ブロックと固定的に連結されるリミットブロックがスライドできるように連結され、前記リミットブロックと前記リミット溝の左端壁との間にはリミットばねが連結され、前記切換溝の中には切換ブロックがスライドできるように連結され、前記切換ブロックの上下両端には前記連通溝と連通できる切換ブロック溝が対称的に設置され、前記切換ブロックが上へ運動する時に下端の前記連通溝が開けられ、これとは反対に前記切換ブロックが下へ運動する時に上端の前記連通溝が開けられ、前記切換溝の左端壁には滑り止めパッドが設置され、二つの前記連結溝の前後端壁にはそれぞれ捻りばね軸が上下対称的に回転できるように連結され、前記捻りばね軸には捻りばねが設置され、前記捻りばねには捻りばね板が設置され、前記捻りばね板のうち前記捻りばね軸から離れている端面には密封ブロックが設置され、四つの前記密封ブロックがそれぞれ二つずつ当接しあい、前記排気口の中の気体が圧縮される時、前記捻りばね板と前記密封ブロックを推しのけることができ、これとは反対に前記排気口の中の気体が膨張する時、推しのけることができなく、その作用は気体を絶えず入れまたは追い出すことである。
【０００８】
好ましくは、前記旋転装置は環状スライド溝を含み、前記環状スライド溝の中には環状スライダが回転できるように連結され、前記環状スライダの左右両端にはそれぞれＬロッドが対称的に設置され、二つの前記Ｌロッドが前記回転器の下端面と固定的に連結され、前記回転器の左端面には前記左入口または前記右出口と連通できる空気口が設置され、前記回転器の上端には空気ロッドが設置され、前記空気ロッドの中にはガスノズル溝が設置され、前記ガスノズル溝が前記空気入りパイプまたは前記排気パイプと連通でき、前記空気ロッドの上端にはガスノズルと前記固定器とが設置され、前記回転器を百八十度回転させ、前記空気口が前記左入口と前記空気入りパイプと連通し、前記回転器を再び百八十度回転させる時、前記空気口が前記右出口と前記排気パイプと連通する。
【発明の効果】
【０００９】
以上により、本発明の有益効果は：本装置はお風呂の玩具に対して自動的に空気を入れると自動的に空気を抜く機能を果たすことができ、本装置は従来の人工で空気を入れることの時間と力を費やす問題を解決し、また自動的に空気を抜くことができ、これにより玩具で遊んだ後で空気を抜くことをもっと便利にし、しかも本装置が小さくて精巧であり、携帯や置くことに便利を与え、本装置は機械の伝動係合により、錯誤が出る可能性を低下させ、同時に単モータを使用して多機能を実現し、装置のコストを低減し、エネルギー消耗を節約する。
【図面の簡単な説明】
【００１０】
本発明の実施例または従来技術における技術プランをもっとはっきり説明するために、以下は実施例または従来技術を説明する時に必要な付図を簡単に紹介する。一目でわかることは下記の説明の中の附図はただ本発明のいくつかの実施例で、本領域の普通技術者にとって、創造的な労働を払わないことを前提に、これらの附図に基づいてそのほかの附図を得ることができる。  
【００１１】
【図１】図１は本発明のお風呂の玩具の空気入れ装置の全体全断面の正面構成模式図である；
【図２】図２は本発明の図１の中のＡにおける部分拡大図である；
【図３】図３は本発明の図１の中のＢ−Ｂ方向の断面図である；
【発明を実施するための形態】
【００１２】
本発明書に開示した全ての特徴、或いは開示した全ての方法、過程中のステップは、互いに排斥する特徴或いはステップ以外に、いかなる方式で組み合わせることができる。
【００１３】
本発明書（いかなる特許請求の範囲、要約書、及び図面）の中に開示した全ての特徴は、特別な叙述がない限り、そのほかの同等或いは類似する目的を持つ代替特徴に取り替えられる。即ち、特別な叙述がない限り、全ての特徴はただ一連の同等或いは類似する特徴の中の一つの例だけである。
【００１４】
以下に図１〜３を交えて本発明について詳しく説明する。便利に叙述するために、後文に出る方位を下記の通りに規定する：後文に出る上下左右前後方向は図１本体の投影関係の上下左右前後方向と一致する。
【００１５】
図１〜３を参照し、本発明の実施例は：お風呂の玩具の空気入れ装置は、空気入れ主体２２を含み、前記空気入れ主体２２の中には動力チャンバ３４が設置され、前記動力チャンバ３４の中には動力装置１０１が設置され、前記動力装置１０１がモータ３５を含み、前記動力装置１０１が前記モータ３５により本装置の運動を駆動し、前記動力チャンバ３４の上端壁にはスライドロッドスライド溝６３が設置され、前記スライドロッドスライド溝６３の上端壁には空気室４３が設置され、前記空気室４３の中には空気入れ部品１０２が設置され、前記空気入れ部品１０２が移動スライドロッド４２とピストンブロック５０を含み、前記空気入れ部品１０２が前記移動スライドロッド４２と前記ピストンブロック５０との上下運動により、気体を追い出しまたは入れ、前記空気室４３の左端壁には連通溝２４が上下対称的に設置され、前記連通溝２４の間には切換溝２３が設置され、前記連通溝２４の左端壁には空気入りパイプ３０が設置され、前記空気入りパイプ３０の左端壁には左入口２９が設置され、前記空気室４３の上下端壁には弧状溝５２が対称的に設置され、前記弧状溝５２が前記切換溝２３と連通し、前記空気室４３の右端壁には排気口５７が上下対称的に設置され、前記排気口５７の右端壁には連結溝６２が設置され、前記連結溝６２の右端壁には排気パイプ４５が設置され、前記排気パイプ４５の右端壁には右出口４４が設置され、前記空気入れ主体２２の外部には旋転装置１０３が設置され、前記旋転装置１０３が回転器２１を含み、前記旋転装置１０３が前記回転器２１により空気を追い出しまたは入れる機能の切換を制御する。
【００１６】
有益的には、前記動力装置１０１はモータ軸３７を含み、前記モータ軸３７が前記モータ３５と動力が伝達できるように連結され、前記モータ３５が前記動力チャンバ３４の後端壁と固定的に連結され、前記モータ軸３７の前端には回転盤３６が設置され、前記回転盤３６には下ヒンジ連結軸３８が設置され、前記下ヒンジ連結軸３８にはヒンジ連結板３９が回転できるように連結され、前記ヒンジ連結板３９の上端には上ヒンジ連結軸４０が設置され、前記モータ３５を始動し、これにより前記モータ軸３７が前記回転盤３６を連動させて回転させ、これにより前記下ヒンジ連結軸３８と、前記ヒンジ連結板３９と、前記上ヒンジ連結軸４０とを連動させて回転させ、その作用は前記空気入れ部品１０２の作動を駆動することである。
【００１７】
有益的には、前記空気入れ部品１０２はゴムガスケット５１を含み、前記ゴムガスケット５１が前記ピストンブロック５０の上端面と固定的に連結され、前記ゴムガスケット５１と前記ピストンブロック５０と前記空気室４３とがスライドできるように連結され、前記移動スライドロッド４２が前記ピストンブロック５０の下端面と固定的に連結され、前記移動スライドロッド４２が前記スライドロッドスライド溝６３とスライドできるように連結され、前記移動スライドロッド４２が前記上ヒンジ連結軸４０とヒンジにより連結され、前記弧状溝５２の中にはそれぞれ弧状ブロック５６がスライドできるように連結され、前記弧状溝５２のうち前記空気室４３から離れている端壁にはリミット溝５３が設置され、前記リミット溝５３の中には前記弧状ブロック５６と固定的に連結されるリミットブロック５５がスライドできるように連結され、前記リミットブロック５５と前記リミット溝５３の左端壁との間にはリミットばね５４が連結され、前記切換溝２３の中には切換ブロック２６がスライドできるように連結され、前記切換ブロック２６の上下両端には前記連通溝２４と連通できる切換ブロック溝２５が対称的に設置され、前記切換ブロック２６が上へ運動する時に下端の前記連通溝２４が開けられ、これとは反対に前記切換ブロック２６が下へ運動する時に上端の前記連通溝２４が開けられ、前記切換溝２３の左端壁には滑り止めパッド２７が設置され、二つの前記連結溝６２の前後端壁にはそれぞれ捻りばね軸５８が上下対称的に回転できるように連結され、前記捻りばね軸５８には捻りばね５９が設置され、前記捻りばね５９には捻りばね板６０が設置され、前記捻りばね板６０のうち前記捻りばね軸５８から離れている端面には密封ブロック６１が設置され、四つの前記密封ブロック６１がそれぞれ二つずつ当接しあい、前記排気口５７の中の気体が圧縮される時、前記捻りばね板６０と前記密封ブロック６１を推しのけることができ、これとは反対に前記排気口５７の中の気体が膨張する時、推しのけることができなく、その作用は気体を絶えず入れまたは追い出すことである。
【００１８】
有益的には、前記旋転装置１０３は環状スライド溝３３を含み、前記環状スライド溝３３の中には環状スライダ３２が回転できるように連結され、前記環状スライダ３２の左右両端にはそれぞれＬロッド３１が対称的に設置され、二つの前記Ｌロッド３１が前記回転器２１の下端面と固定的に連結され、前記回転器２１の左端面には前記左入口２９または前記右出口４４と連通できる空気口２８が設置され、前記回転器２１の上端には空気ロッド４９が設置され、前記空気ロッド４９の中にはガスノズル溝４６が設置され、前記ガスノズル溝４６が前記空気入りパイプ３０または前記排気パイプ４５と連通でき、前記空気ロッド４９の上端にはガスノズル４８と前記固定器４７とが設置され、前記回転器２１を百八十度回転させ、前記空気口２８が前記左入口２９と前記空気入りパイプ３０と連通し、前記回転器２１を再び百八十度回転させる時、前記空気口２８が前記右出口４４と前記排気パイプ４５と連通する。
【００１９】
以下、出願人は付図１−３及び上記の本出願のお風呂の玩具の空気入れ装置の具体的な構成を参照して本出願のお風呂の玩具の空気入れ装置の使用方法を詳しく紹介する：まず、初期状態において、排気パイプ４５がガスノズル溝４６と連通し、玩具の空気入れ口を固定器４７とガスノズル４８の間に挿入する。
【００２０】
使用する時、モータ３５をオンにし、これにより下ヒンジ連結軸３８と、ヒンジ連結板３９と、上ヒンジ連結軸４０とを連動させて回転させ、これにより移動スライドロッド４２と、ピストンブロック５０と、ゴムガスケット５１との上下移動を連動させ、ピストンブロック５０が下へ運動する時、下端の連通溝２４が閉じ状態にあり、空気室４３の下端の気体を右へ排出し、これにより下端の捻りばね板６０と密封ブロック６１を推しのけ、気体が下端の排気口５７と、スライドロッドスライド溝６３とから排気パイプ４５と、ガスノズル溝４６と、ガスノズル４８とに入り込み、その後玩具に空気を入れ、同時に気体が空気口２８と、左入口２９と、空気入りパイプ３０と、上端の連通溝２４と、切換ブロック溝２５とから空気室４３の上端へ入り込み、空気入れを行い、ピストンブロック５０が底まで運動する時、弧状ブロック５６の右端を下へ押し、弧状ブロック５６の左端を上へ押し、これにより切換ブロック２６を上へ押して下端の連通溝２４を開け、滑り止めパッド２７が切換ブロック２６が切換溝２３で揺れ動くことを防止でき、再起動が完了する時、玩具を取り出せば良く、空気を抜く時、回転器２１を百八十度回転させ、空気口２８が空気入りパイプ３０と連通し、この時、左入口２９が閉まり、右出口４４が空気口２８と連通し、排気パイプ４５が閉まり、空気入りパイプ３０が排気パイプ４５と連通し、玩具の空気入れ口を固定器４７とガスノズル４８の間に挿入し、その後モータ３５を始動し、この時、気体が玩具の中から空気入りパイプ３０と、連通溝２４と、切換ブロック溝２５と、空気室４３と、排気口５７と、連結溝６２と、排気パイプ４５と、右出口４４と、空気口２８を通して排出される。
【００２１】
本発明の有益効果は：本装置はお風呂の玩具に対して自動的に空気を入れると自動的に空気を抜く機能を果たすことができ、本装置は従来の人工で空気を入れることの時間と力を費やす問題を解決し、また自動的に空気を抜くことができ、これにより玩具で遊んだ後で空気を抜くことをもっと便利にし、しかも本装置が小さくて精巧であり、携帯や置くことに便利を与え、本装置は機械の伝動係合により、錯誤が出る可能性を低下させ、同時に単モータを使用して多機能を実現し、装置のコストを低減し、エネルギー消耗を節約する。
【００２２】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020168334.tif 000003
【図２】
2020168334.tif 000004
【図３】
2020168334.tif 000005
【手続補正書】
【提出日】令和1年7月1日(2019.7.1)
【手続補正１】
【補正対象書類名】特許請求の範囲
【補正対象項目名】全文
【補正方法】変更
【補正の内容】
【特許請求の範囲】
【請求項１】
空気入れ主体を含み、前記空気入れ主体の中には動力チャンバが設置され、前記動力チャンバの中には動力装置が設置され、前記動力装置がモータを含み、前記動力装置が前記モータにより本装置の運動を駆動し、前記動力チャンバの上端壁にはスライドロッドスライド溝が設置され、前記スライドロッドスライド溝の上端壁には空気室が設置され、前記空気室の中には空気入れ部品が設置され、前記空気入れ部品が移動スライドロッドとピストンブロックを含み、前記空気入れ部品が前記移動スライドロッドと前記ピストンブロックとの上下運動により、気体を追い出しまたは入れ、前記空気室の左端壁には連通溝が上下対称的に設置され、前記連通溝の間には切換溝が設置され、前記連通溝の左端壁には空気入りパイプが設置され、前記空気入りパイプの左端壁には左入口が設置され、前記空気室の上下端壁には弧状溝が対称的に設置され、前記弧状溝が前記切換溝と連通し、前記空気室の右端壁には排気口が上下対称的に設置され、前記排気口の右端壁には連結溝が設置され、前記連結溝の右端壁には排気パイプが設置され、前記排気パイプの右端壁には右出口が設置され、前記空気入れ主体の外部には旋転装置が設置され、前記旋転装置が回転器を含み、前記旋転装置が前記回転器により空気を追い出しまたは入れる機能の切換を制御することを特徴とするお風呂の玩具の空気入れ装置。
【請求項２】
前記動力装置はモータ軸を含み、前記モータ軸が前記モータと動力が伝達できるように連結され、前記モータが前記動力チャンバの後端壁と固定的に連結され、前記モータ軸の前端には回転盤が設置され、前記回転盤には下ヒンジ連結軸が設置され、前記下ヒンジ連結軸にはヒンジ連結板が回転できるように連結され、前記ヒンジ連結板の上端には上ヒンジ連結軸が設置され、前記モータを始動し、これにより前記モータ軸が前記回転盤を連動させて回転させ、これにより前記下ヒンジ連結軸と、前記ヒンジ連結板と、前記上ヒンジ連結軸とを連動させて回転させ、その作用は前記空気入れ部品の作動を駆動することであることを特徴とする請求項１に記載のお風呂の玩具の空気入れ装置。
【請求項３】
前記空気入れ部品はゴムガスケットを含み、前記ゴムガスケットが前記ピストンブロックの上端面と固定的に連結され、前記ゴムガスケットと前記ピストンブロックと前記空気室とがスライドできるように連結され、前記移動スライドロッドが前記ピストンブロックの下端面と固定的に連結され、前記移動スライドロッドが前記スライドロッドスライド溝とスライドできるように連結され、前記移動スライドロッドが前記上ヒンジ連結軸とヒンジにより連結され、前記弧状溝の中にはそれぞれ弧状ブロックがスライドできるように連結され、前記弧状溝のうち前記空気室から離れている端壁にはリミット溝が設置され、前記リミット溝の中には前記弧状ブロックと固定的に連結されるリミットブロックがスライドできるように連結され、前記リミットブロックと前記リミット溝の左端壁との間にはリミットばねが連結され、前記切換溝の中には切換ブロックがスライドできるように連結され、前記切換ブロックの上下両端には前記連通溝と連通できる切換ブロック溝が対称的に設置され、前記切換ブロックが上へ運動する時に下端の前記連通溝が開けられ、これとは反対に前記切換ブロックが下へ運動する時に上端の前記連通溝が開けられ、前記切換溝の左端壁には滑り止めパッドが設置され、二つの前記連結溝の前後端壁にはそれぞれ捻りばね軸が上下対称的に回転できるように連結され、前記捻りばね軸には捻りばねが設置され、前記捻りばねには捻りばね板が設置され、前記捻りばね板のうち前記捻りばね軸から離れている端面には密封ブロックが設置され、四つの前記密封ブロックがそれぞれ二つずつ当接しあい、前記排気口の中の気体が圧縮される時、前記捻りばね板と前記密封ブロックを推しのけることができ、これとは反対に前記排気口の中の気体が膨張する時、推しのけることができなく、その作用は気体を絶えず入れまたは追い出すことであることを特徴とする請求項２に記載のお風呂の玩具の空気入れ装置。
【請求項４】
前記旋転装置は環状スライド溝を含み、前記環状スライド溝の中には環状スライダが回転できるように連結され、前記環状スライダの左右両端にはそれぞれＬロッドが対称的に設置され、二つの前記Ｌロッドが前記回転器の下端面と固定的に連結され、前記回転器の左端面には前記左入口または前記右出口と連通できる空気口が設置され、前記回転器の上端には空気ロッドが設置され、前記空気ロッドの中にはガスノズル溝が設置され、前記ガスノズル溝が前記空気入りパイプまたは前記排気パイプと連通でき、前記空気ロッドの上端にはガスノズルと固定器とが設置され、前記回転器を百八十度回転させ、前記空気口が前記左入口と前記空気入りパイプと連通し、前記回転器を再び百八十度回転させる時、前記空気口が前記右出口と前記排気パイプと連通することを特徴とする請求項１に記載のお風呂の玩具の空気入れ装置。
【手続補正２】
【補正対象書類名】明細書
【補正対象項目名】全文
【補正方法】変更
【補正の内容】
【発明の詳細な説明】
【技術分野】
【０００１】
本発明は玩具付属品分野を取り上げて、具体的にはお風呂の玩具の空気入れ装置である。
【背景技術】
【０００２】
目下、二人っ子政策が正式に施行されることにより、お風呂に入る時に玩具で遊ぶ子供がますます多くなり、玩具で遊ぶ前、多くのお風呂の玩具は空気を入れる必要があり、従来の玩具を口で膨らますことが必要であり、とても時間と力を費やし、現有の電動空気入れ機は通常体積が多すぎるのであり、玩具で遊んだ後で空気を抜くのが非常に面倒くさく、しかも専門の空気を抜く機器がない。
【先行技術文献】
【特許文献】
【０００３】
【特許文献１】中国特許出願公開第１０８５９１５４６号明細書
【発明の概要】
【発明が解決しようとする課題】
【０００４】
本発明はお風呂の玩具の空気入れ装置を提供し、上記背景技術において取り上げられた問題を解決することを目的とする。
【課題を解決するための手段】
【０００５】
上記の目的を実現するために、本発明は以下の技術プランを提供する：お風呂の玩具の空気入れ装置は、空気入れ主体を含み、前記空気入れ主体の中には動力チャンバが設置され、前記動力チャンバの中には動力装置が設置され、前記動力装置がモータを含み、前記動力装置が前記モータにより本装置の運動を駆動し、前記動力チャンバの上端壁にはスライドロッドスライド溝が設置され、前記スライドロッドスライド溝の上端壁には空気室が設置され、前記空気室の中には空気入れ部品が設置され、前記空気入れ部品が移動スライドロッドとピストンブロックを含み、前記空気入れ部品が前記移動スライドロッドと前記ピストンブロックとの上下運動により、気体を追い出しまたは入れ、前記空気室の左端壁には連通溝が上下対称的に設置され、前記連通溝の間には切換溝が設置され、前記連通溝の左端壁には空気入りパイプが設置され、前記空気入りパイプの左端壁には左入口が設置され、前記空気室の上下端壁には弧状溝が対称的に設置され、前記弧状溝が前記切換溝と連通し、前記空気室の右端壁には排気口が上下対称的に設置され、前記排気口の右端壁には連結溝が設置され、前記連結溝の右端壁には排気パイプが設置され、前記排気パイプの右端壁には右出口が設置され、前記空気入れ主体の外部には旋転装置が設置され、前記旋転装置が回転器を含み、前記旋転装置が前記回転器により空気を追い出しまたは入れる機能の切換を制御する。
【０００６】
好ましくは、前記動力装置はモータ軸を含み、前記モータ軸が前記モータと動力が伝達できるように連結され、前記モータが前記動力チャンバの後端壁と固定的に連結され、前記モータ軸の前端には回転盤が設置され、前記回転盤には下ヒンジ連結軸が設置され、前記下ヒンジ連結軸にはヒンジ連結板が回転できるように連結され、前記ヒンジ連結板の上端には上ヒンジ連結軸が設置され、前記モータを始動し、これにより前記モータ軸が前記回転盤を連動させて回転させ、これにより前記下ヒンジ連結軸と、前記ヒンジ連結板と、前記上ヒンジ連結軸とを連動させて回転させ、その作用は前記空気入れ部品の作動を駆動することである。
【０００７】
好ましくは、前記空気入れ部品はゴムガスケットを含み、前記ゴムガスケットが前記ピストンブロックの上端面と固定的に連結され、前記ゴムガスケットと前記ピストンブロックと前記空気室とがスライドできるように連結され、前記移動スライドロッドが前記ピストンブロックの下端面と固定的に連結され、前記移動スライドロッドが前記スライドロッドスライド溝とスライドできるように連結され、前記移動スライドロッドが前記上ヒンジ連結軸とヒンジにより連結され、前記弧状溝の中にはそれぞれ弧状ブロックがスライドできるように連結され、前記弧状溝のうち前記空気室から離れている端壁にはリミット溝が設置され、前記リミット溝の中には前記弧状ブロックと固定的に連結されるリミットブロックがスライドできるように連結され、前記リミットブロックと前記リミット溝の左端壁との間にはリミットばねが連結され、前記切換溝の中には切換ブロックがスライドできるように連結され、前記切換ブロックの上下両端には前記連通溝と連通できる切換ブロック溝が対称的に設置され、前記切換ブロックが上へ運動する時に下端の前記連通溝が開けられ、これとは反対に前記切換ブロックが下へ運動する時に上端の前記連通溝が開けられ、前記切換溝の左端壁には滑り止めパッドが設置され、二つの前記連結溝の前後端壁にはそれぞれ捻りばね軸が上下対称的に回転できるように連結され、前記捻りばね軸には捻りばねが設置され、前記捻りばねには捻りばね板が設置され、前記捻りばね板のうち前記捻りばね軸から離れている端面には密封ブロックが設置され、四つの前記密封ブロックがそれぞれ二つずつ当接しあい、前記排気口の中の気体が圧縮される時、前記捻りばね板と前記密封ブロックを推しのけることができ、これとは反対に前記排気口の中の気体が膨張する時、推しのけることができなく、その作用は気体を絶えず入れまたは追い出すことである。
【０００８】
好ましくは、前記旋転装置は環状スライド溝を含み、前記環状スライド溝の中には環状スライダが回転できるように連結され、前記環状スライダの左右両端にはそれぞれＬロッドが対称的に設置され、二つの前記Ｌロッドが前記回転器の下端面と固定的に連結され、前記回転器の左端面には前記左入口または前記右出口と連通できる空気口が設置され、前記回転器の上端には空気ロッドが設置され、前記空気ロッドの中にはガスノズル溝が設置され、前記ガスノズル溝が前記空気入りパイプまたは前記排気パイプと連通でき、前記空気ロッドの上端にはガスノズルと固定器とが設置され、前記回転器を百八十度回転させ、前記空気口が前記左入口と前記空気入りパイプと連通し、前記回転器を再び百八十度回転させる時、前記空気口が前記右出口と前記排気パイプと連通する。
【発明の効果】
【０００９】
以上により、本発明の有益効果は：本装置はお風呂の玩具に対して自動的に空気を入れると自動的に空気を抜く機能を果たすことができ、本装置は従来の人工で空気を入れることの時間と力を費やす問題を解決し、また自動的に空気を抜くことができ、これにより玩具で遊んだ後で空気を抜くことをもっと便利にし、しかも本装置が小さくて精巧であり、携帯や置くことに便利を与え、本装置は機械の伝動係合により、錯誤が出る可能性を低下させ、同時に単モータを使用して多機能を実現し、装置のコストを低減し、エネルギー消耗を節約する。
【図面の簡単な説明】
【００１０】
本発明の実施例または従来技術における技術プランをもっとはっきり説明するために、以下は実施例または従来技術を説明する時に必要な付図を簡単に紹介する。一目でわかることは下記の説明の中の附図はただ本発明のいくつかの実施例で、本領域の普通技術者にとって、創造的な労働を払わないことを前提に、これらの附図に基づいてそのほかの附図を得ることができる。
【００１１】
【図１】図１は本発明のお風呂の玩具の空気入れ装置の全体全断面の正面構成模式図である；
【図２】図２は本発明の図１の中のＡにおける部分拡大図である；
【図３】図３は本発明の図１の中のＢ−Ｂ方向の断面図である；
【発明を実施するための形態】
【００１２】
本発明書に開示した全ての特徴、或いは開示した全ての方法、過程中のステップは、互いに排斥する特徴或いはステップ以外に、いかなる方式で組み合わせることができる。
【００１３】
本発明書（いかなる特許請求の範囲、要約書、及び図面）の中に開示した全ての特徴は、特別な叙述がない限り、そのほかの同等或いは類似する目的を持つ代替特徴に取り替えられる。即ち、特別な叙述がない限り、全ての特徴はただ一連の同等或いは類似する特徴の中の一つの例だけである。
【００１４】
以下に図１〜３を交えて本発明について詳しく説明する。便利に叙述するために、後文に出る方位を下記の通りに規定する：後文に出る上下左右前後方向は図１本体の投影関係の上下左右前後方向と一致する。
【００１５】
図１〜３を参照し、本発明の実施例は：お風呂の玩具の空気入れ装置は、空気入れ主体２２を含み、前記空気入れ主体２２の中には動力チャンバ３４が設置され、前記動力チャンバ３４の中には動力装置１０１が設置され、前記動力装置１０１がモータ３５を含み、前記動力装置１０１が前記モータ３５により本装置の運動を駆動し、前記動力チャンバ３４の上端壁にはスライドロッドスライド溝６３が設置され、前記スライドロッドスライド溝６３の上端壁には空気室４３が設置され、前記空気室４３の中には空気入れ部品１０２が設置され、前記空気入れ部品１０２が移動スライドロッド４２とピストンブロック５０を含み、前記空気入れ部品１０２が前記移動スライドロッド４２と前記ピストンブロック５０との上下運動により、気体を追い出しまたは入れ、前記空気室４３の左端壁には連通溝２４が上下対称的に設置され、前記連通溝２４の間には切換溝２３が設置され、前記連通溝２４の左端壁には空気入りパイプ３０が設置され、前記空気入りパイプ３０の左端壁には左入口２９が設置され、前記空気室４３の上下端壁には弧状溝５２が対称的に設置され、前記弧状溝５２が前記切換溝２３と連通し、前記空気室４３の右端壁には排気口５７が上下対称的に設置され、前記排気口５７の右端壁には連結溝６２が設置され、前記連結溝６２の右端壁には排気パイプ４５が設置され、前記排気パイプ４５の右端壁には右出口４４が設置され、前記空気入れ主体２２の外部には旋転装置１０３が設置され、前記旋転装置１０３が回転器２１を含み、前記旋転装置１０３が前記回転器２１により空気を追い出しまたは入れる機能の切換を制御する。
【００１６】
有益的には、前記動力装置１０１はモータ軸３７を含み、前記モータ軸３７が前記モータ３５と動力が伝達できるように連結され、前記モータ３５が前記動力チャンバ３４の後端壁と固定的に連結され、前記モータ軸３７の前端には回転盤３６が設置され、前記回転盤３６には下ヒンジ連結軸３８が設置され、前記下ヒンジ連結軸３８にはヒンジ連結板３９が回転できるように連結され、前記ヒンジ連結板３９の上端には上ヒンジ連結軸４０が設置され、前記モータ３５を始動し、これにより前記モータ軸３７が前記回転盤３６を連動させて回転させ、これにより前記下ヒンジ連結軸３８と、前記ヒンジ連結板３９と、前記上ヒンジ連結軸４０とを連動させて回転させ、その作用は前記空気入れ部品１０２の作動を駆動することである。
【００１７】
有益的には、前記空気入れ部品１０２はゴムガスケット５１を含み、前記ゴムガスケット５１が前記ピストンブロック５０の上端面と固定的に連結され、前記ゴムガスケット５１と前記ピストンブロック５０と前記空気室４３とがスライドできるように連結され、前記移動スライドロッド４２が前記ピストンブロック５０の下端面と固定的に連結され、前記移動スライドロッド４２が前記スライドロッドスライド溝６３とスライドできるように連結され、前記移動スライドロッド４２が前記上ヒンジ連結軸４０とヒンジにより連結され、前記弧状溝５２の中にはそれぞれ弧状ブロック５６がスライドできるように連結され、前記弧状溝５２のうち前記空気室４３から離れている端壁にはリミット溝５３が設置され、前記リミット溝５３の中には前記弧状ブロック５６と固定的に連結されるリミットブロック５５がスライドできるように連結され、前記リミットブロック５５と前記リミット溝５３の左端壁との間にはリミットばね５４が連結され、前記切換溝２３の中には切換ブロック２６がスライドできるように連結され、前記切換ブロック２６の上下両端には前記連通溝２４と連通できる切換ブロック溝２５が対称的に設置され、前記切換ブロック２６が上へ運動する時に下端の前記連通溝２４が開けられ、これとは反対に前記切換ブロック２６が下へ運動する時に上端の前記連通溝２４が開けられ、前記切換溝２３の左端壁には滑り止めパッド２７が設置され、二つの前記連結溝６２の前後端壁にはそれぞれ捻りばね軸５８が上下対称的に回転できるように連結され、前記捻りばね軸５８には捻りばね５９が設置され、前記捻りばね５９には捻りばね板６０が設置され、前記捻りばね板６０のうち前記捻りばね軸５８から離れている端面には密封ブロック６１が設置され、四つの前記密封ブロック６１がそれぞれ二つずつ当接しあい、前記排気口５７の中の気体が圧縮される時、前記捻りばね板６０と前記密封ブロック６１を推しのけることができ、これとは反対に前記排気口５７の中の気体が膨張する時、推しのけることができなく、その作用は気体を絶えず入れまたは追い出すことである。
【００１８】
有益的には、前記旋転装置１０３は環状スライド溝３３を含み、前記環状スライド溝３３の中には環状スライダ３２が回転できるように連結され、前記環状スライダ３２の左右両端にはそれぞれＬロッド３１が対称的に設置され、二つの前記Ｌロッド３１が前記回転器２１の下端面と固定的に連結され、前記回転器２１の左端面には前記左入口２９または前記右出口４４と連通できる空気口２８が設置され、前記回転器２１の上端には空気ロッド４９が設置され、前記空気ロッド４９の中にはガスノズル溝４６が設置され、前記ガスノズル溝４６が前記空気入りパイプ３０または前記排気パイプ４５と連通でき、前記空気ロッド４９の上端にはガスノズル４８と固定器４７とが設置され、前記回転器２１を百八十度回転させ、前記空気口２８が前記左入口２９と前記空気入りパイプ３０と連通し、前記回転器２１を再び百八十度回転させる時、前記空気口２８が前記右出口４４と前記排気パイプ４５と連通する。
【００１９】
以下、出願人は付図１−３及び上記の本出願のお風呂の玩具の空気入れ装置の具体的な構成を参照して本出願のお風呂の玩具の空気入れ装置の使用方法を詳しく紹介する：まず、初期状態において、排気パイプ４５がガスノズル溝４６と連通し、玩具の空気入れ口を固定器４７とガスノズル４８の間に挿入する。
【００２０】
使用する時、モータ３５をオンにし、これにより下ヒンジ連結軸３８と、ヒンジ連結板３９と、上ヒンジ連結軸４０とを連動させて回転させ、これにより移動スライドロッド４２と、ピストンブロック５０と、ゴムガスケット５１との上下移動を連動させ、ピストンブロック５０が下へ運動する時、下端の連通溝２４が閉じ状態にあり、空気室４３の下端の気体を右へ排出し、これにより下端の捻りばね板６０と密封ブロック６１を推しのけ、気体が下端の排気口５７と、スライドロッドスライド溝６３とから排気パイプ４５と、ガスノズル溝４６と、ガスノズル４８とに入り込み、その後玩具に空気を入れ、同時に気体が空気口２８と、左入口２９と、空気入りパイプ３０と、上端の連通溝２４と、切換ブロック溝２５とから空気室４３の上端へ入り込み、空気入れを行い、ピストンブロック５０が底まで運動する時、弧状ブロック５６の右端を下へ押し、弧状ブロック５６の左端を上へ押し、これにより切換ブロック２６を上へ押して下端の連通溝２４を開け、滑り止めパッド２７が切換ブロック２６が切換溝２３で揺れ動くことを防止でき、再起動が完了する時、玩具を取り出せば良く、空気を抜く時、回転器２１を百八十度回転させ、空気口２８が空気入りパイプ３０と連通し、この時、左入口２９が閉まり、右出口４４が空気口２８と連通し、排気パイプ４５が閉まり、空気入りパイプ３０が排気パイプ４５と連通し、玩具の空気入れ口を固定器４７とガスノズル４８の間に挿入し、その後モータ３５を始動し、この時、気体が玩具の中から空気入りパイプ３０と、連通溝２４と、切換ブロック溝２５と、空気室４３と、排気口５７と、連結溝６２と、排気パイプ４５と、右出口４４と、空気口２８を通して排出される。
【００２１】
本発明の有益効果は：本装置はお風呂の玩具に対して自動的に空気を入れると自動的に空気を抜く機能を果たすことができ、本装置は従来の人工で空気を入れることの時間と力を費やす問題を解決し、また自動的に空気を抜くことができ、これにより玩具で遊んだ後で空気を抜くことをもっと便利にし、しかも本装置が小さくて精巧であり、携帯や置くことに便利を与え、本装置は機械の伝動係合により、錯誤が出る可能性を低下させ、同時に単モータを使用して多機能を実現し、装置のコストを低減し、エネルギー消耗を節約する。
【００２２】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。